(57)【要約】  住宅ユニットモジュールであって、略長方形のブロックの形状をした骨組み（３）であって、少なくとも２つの開側面（５．１，５．２）を有し、そのうちの１つは、周辺端部（１０）によって画定される開口部（９）を設けられる外郭（６）を収容し、外郭は、開口部が骨組みの外部の方を向く退避貯蔵位置と、開口部が骨組みの内側の方を向く展開位置との間で枢動するように鉛直枢動ピン（１１）を用いて開側面に接続される、骨組み（３）と、パネル（１３）であって、パネルが退避貯蔵位置にある外郭の開口部を閉鎖する下降位置と、パネルが骨組みの頂部の上と展開位置にある外郭の上とにそれぞれ部分的に拡がる上昇位置との間を移動するように骨組みに取り付けられる、パネル（１３）とを具備する、住宅ユニットモジュール。住宅ユニットは、そのようなモジュールで構成される。
2011513608.tif 000002
【特許請求の範囲】
【請求項１】
住宅ユニットモジュールであって、
略長方形のブロックの形状をした骨組み（３）であって、少なくとも２つの開側面（５．１，５．２）を有し、そのうちの１つは、周辺端部（１０）によって画定される開口部（９）を設けられる外郭（６）を収容し、外郭は、開口部が骨組みの外部の方を向く退避貯蔵位置と、開口部が骨組みの内側の方を向く展開位置との間で枢動するように鉛直枢動ピン（１１）を用いて開側面に接続される、骨組み（３）と、
パネル（１３）であって、パネルが退避貯蔵位置にある外郭の開口部を閉鎖する下降位置と、パネルが骨組みの頂部の上と展開位置にある外郭の上とにそれぞれ部分的に拡がる上昇位置との間を移動するように骨組みに取り付けられる、パネル（１３）と
を具備する、住宅ユニットモジュール。
【請求項２】
骨組み（３）が、長方形のブロックの形状の縁部を形成するために一緒に組み立てられる桁（４）を具備する、
請求項１に記載のモジュール。
【請求項３】
パネル（１３）が、ピボットヒンジ（１４）を用いて骨組みに接続される、
請求項１に記載のモジュール。
【請求項４】
下降位置にあるパネル（１３）が骨組み（３）に対応する開側面（５．１）に抗して押圧されるように、ピボットヒンジ（１４）が配置される、
請求項３に記載のモジュール。
【請求項５】
上昇位置にあるパネル（１３）が骨組み（３）の頂部から離間されるように、ピボットヒンジ（１４）が配置される、
請求項４に記載のモジュール。
【請求項６】
骨組み（３）の頂部が、透明な材料で作られる少なくとも１枚の板を具備する、
請求項５に記載のモジュール。
【請求項７】
パネル（１３）が、骨組みの逆側を向く表面であって、太陽光エネルギーを収集するための部材を備える表面を有する、
請求項１に記載のモジュール。
【請求項８】
少なくとも２つのサイドモジュール（２）を具備する住宅ユニットであって、
各サイドモジュールが、請求項１〜７のいずれか一に記載のモジュールであり、かつ、外郭（６）を収容する開側面（５．１）から向かい側に、サイドモジュール同士を共に接続するのに用いられる結合作用のための開側面（５．２）が設けられる骨組み（３）を有する、
住宅ユニット。
【請求項９】
サイドモジュール（２）の互いに連結された開側面（５．２）が、固着部材を用いて互いに直接に固着される、
請求項８に記載のユニット。
【請求項１０】
サイドモジュール（２）の互いに連結された開側面（５．２）が、サイドモジュール同士の間に拡がる少なくとも１つの中間モジュール（２０）を用いて互いに接続される、
請求項９に記載のユニット。
【請求項１１】
少なくとも１つのサイドモジュールが、少なくとも１つの居住できる上の階を形成するために中間モジュールの頂部に固着される、
請求項１０に記載のユニット。
【発明の詳細な説明】
【技術分野】
【０００１】
この発明は、住宅ユニットモジュール及び対応する輸送できる住宅ユニットに関する。
【背景技術】
【０００２】
陸地中を移動する手段により取り外しできないやり方で結合されることによって、そのような住宅ユニットは、キャラバン、キャンピングカー、又はいくらかの他の可動の家などの可動式住居を形成する働きをすることができ、あるいは、そのような住宅ユニットは、小屋、キャビン、又はいくらかの類似するタイプの他の住居を形成する目的の場所に一時的又は永続的に設置されることのできる非可動式住居を設置する働きをすることができる。したがって、具体的に、そのような住宅ユニットは、それ自体若しくは他の住宅ユニットとの結合で、別荘として観光目的のために、又は移動労働者の施設として仕事目的のために、又は被災者のための応急住宅として若しくは医療施設として人道的な目的のために、及びさらに一般的には、基礎の上に建設される必要のない任意の種類の住居又は施設のために使用される。
【０００３】
このタイプの既知の輸送できる住宅ユニットが有する短所は、空間の不足、具体的には幅と容積の不足に起因する。空間の不足は、特殊な“横幅オーバー（ｗｉｄｅ−ｌｏａｄ）”コンボイによらない限り、走行するために、輸送される容積を含む２．５メートル（ｍ）よりも大きい幅の乗り物を許可しない、道路の幅の制限の結果である。
【０００４】
拡げることのできる部分と結合される基本骨組みで構成されるそのような住宅ユニットが存在する。実施例に応じて、拡げることのできる部分は、
・  展開できる堅いパネル
・  １枚のキャンバス地又は堅いパネルと結合される、蝶着される金属構造
・  引き出しのようにスライドするように潤斜面を用いて骨組みに接続される箱型構造、又は
・  主要住宅ユニットに隣接する取り外しのできる追加の住宅ユニット
を具備してもよい。
【０００５】
輸送できる住宅ユニット内の空間の不足を軽減するために、ベッドの土台になるように退避させるテーブル、マットレスに転換するベンチシート、格納式のテーブル及びイス、天井に上昇されることのできるベッド等の、屋内の家具の転換可能性についても、研究がされている。
【０００６】
このように確保された空間は、生活空間又は貯蔵容積として使用されることができる。
【０００７】
それらの解決策のすべてについて、住宅ユニット内の居住空間又は収納容積として使用するために確保する空間は、複雑な操作の後のみに達せられ、低い信頼性であるおそれのある高価かつ複雑な機構の使用によってのみ可能となる。
【発明の概要】
【発明が解決しようとする課題】
【０００８】
この発明の目的は、堅くかつ拡げることのできる住宅ユニットを得るための簡素な実行手段を提案することにある。
【課題を解決するための手段】
【０００９】
この目的を達成するために、この発明は、
住宅ユニットモジュールであって、
略長方形のブロックの形状をした骨組みであって、少なくとも２つの開側面を有し、そのうちの１つは、周辺端部によって画定される開口部が設けられる外郭を収容し、外郭は、開口部が骨組みの外部の方を向く退避貯蔵位置と、開口部が骨組みの内側の方を向く展開位置との間で枢動するように鉛直枢動ピンを用いて開側面に接続される、骨組みと、
パネルであって、パネルが退避貯蔵位置にある外郭の開口部を閉鎖する下降位置と、パネルが骨組みの頂部の上と展開位置にある外郭の上とにそれぞれ部分的に拡がる上昇位置との間を移動するように骨組みに取り付けられる、パネルと
を具備する、住宅ユニットモジュールを供給する。
【００１０】
したがって、パネルをその下降位置からその上昇位置に移動し、外郭をその退避貯蔵位置からその展開住宅位置に枢動することによって、住宅ユニットモジュールを拡げることができる。パネルは、２つの機能を遂行する。すなわち、前記パネルがその下降位置にあるときに退避貯蔵位置にある外郭を閉鎖する機能と、前記パネルがその上昇位置にあるときに外郭の頂部及び骨組みの頂部を保護する、具体的には害になる天候条件（太陽光線、雨、雪、ひょう等）から保護する機能である。
【００１１】
住宅ユニットは、１又は複数のモジュールで構成されてもよい。
【００１２】
したがって、さらに、この発明は、
少なくとも２つのサイドモジュールを具備する住宅ユニットであって、
各サイドモジュールが、上記で画定されるようなモジュールであり、かつ、外郭を収容する開側面から向かい側に、サイドモジュール同士を共に接続するのに用いられる結合作用のための開側面が設けられる骨組みを有する、
住宅ユニットを提供する。
【００１３】
この発明の他の特徴及び利点は、この発明を限定しないこの発明の特定の実施形態の以下の記載を読むことによって理解される。
【図面の簡単な説明】
【００１４】
【図１】この発明の住宅ユニットであって、前記ユニットの容積を拡げるための作用を示し、その最小の容積の形態のユニットを示す、この発明の住宅ユニットの斜視図。
【図２】この発明の住宅ユニットであって、前記ユニットの容積を拡げるための作用を示し、中間の位置を示す、この発明の住宅ユニットの斜視図。
【図３】この発明の住宅ユニットであって、前記ユニットの容積を拡げるための作用を示し、中間の位置を示す、この発明の住宅ユニットの斜視図。
【図４】この発明の住宅ユニットであって、前記ユニットの容積を拡げるための作用を示し、その最大の容積の形態のユニットを示す、この発明の住宅ユニットの斜視図。
【図５】外装を有する住宅ユニットの斜視図。
【図６】この発明の複数の住宅ユニットモジュールで構成される住居の斜視図。
【図７】図６の住居の変形を示す、図６に類似する図。
【図８】図６の住居の変形を示す、図６に類似する図。
【図９】この発明のモジュールで構成されるキャラバンであって、輸送の位置にあるキャラバン示す斜視図。
【図１０】この発明のモジュールで構成されるキャラバンであって、駐車の位置にあるキャラバン示す斜視図。
【図１１】この発明のモジュールで構成されるキャンピングカーの斜視図。
【図１２】この発明の複数のモジュールで構成される住居の斜視図。
【発明を実施するための形態】
【００１５】
添付の図面が参照される。
【００１６】
図１〜図５は、参照番号１によって全体を示される住宅ユニットであって、参照番号２によって全体を示され一緒に組み立てられる２つのモジュールで構成される住宅ユニットを示す。（モジュールは同一であり、文字Ａ及びＢは、図の中でそれらの間の識別をするために参照番号２に付けられる。）
【００１７】
各モジュール２は、参照番号３によって全体が示される骨組みであって、半正方形の基盤を有する長方形のブロックの形状を一般的にしている骨組みで構成され、骨組み３は、長方形のブロック形状の縁部を形成するために一緒に組み立てられる桁４を具備する。
【００１８】
注目すべきは、４つの桁４が、図中に鎖線で示されることである。これらの桁４は、輸送の間に骨組み３を堅くする働きをし、以下で詳しく説明されるように、２つのモジュールがユニットを形成するために共に組み立てられるとき、これらは、取り外される。この実施例において、骨組み３は、全て溶接される。当然に、他の実施形態が可能である。
【００１９】
この実施例において、骨組み３は、４つの開いている側面を有し、参照番号５．１が付された当該側面のうちの１つは、参照番号６によって全体が示される外郭を収容する。外郭６は、頂部で半円屋根７によって閉鎖されると共に底部で同様に半円である底部８によって閉鎖される半円筒壁によって、横方向において画定される。したがって、外郭６は、外郭６の直径面で拡がるようなやり方で外郭６の周辺端部１０によって画定される開口部９を有する。周辺端部１０は、外郭６の屋根７及び底部８から突出するそれぞれの鉛直な枢動ピン１１を用いて開側面５．１を形成する頂部及び底部の桁４に接続される。したがって、外郭６は、開口部９が骨組み３の外側に面する退避貯蔵位置と、開口部９が骨組み３の内側に面する展開位置との間を移動するように取り付けられる。前記展開位置では、外郭６は、骨組み３の内部空間を空ける。両方の位置において、周辺端部１０は、開側面５．１を形成する桁４の外面と同一平面に来る。例えば、外郭６は、一方の内側に他方が固定された２つの半円筒壁で構成される。絶縁材は、補強材などの補強部材であるように２つの壁同士の間に入れられる。壁は、同じ材料、又は違う材料で作られてもよい。例えば、内壁は、プラスチック材料を成形することによって得られてもよく、それと一緒に一体化して成形される棚又は補強材の形状を組み込んでもよい。例えば、外壁は、亜鉛めっき鋼で作られてもよい。
【００２０】
開側面５．１から向かい側の開側面５．２は、開いたままであるように、かつ住宅ユニットを形成するために他のモジュールの開側面５．２に付設するように、設計される。
【００２１】
骨組み３の他の開側面５．３及び５．４は、ユニットの内部に人が立ち入ることができるように、ドアが任意に設けられる堅いパネルを備えるように設計され、又は、光が貫通できる透明及び半透明の両方若しくは一方の表面、場合によっては窓を備えるように設計され、それによりユニットの内部に自然光を供給する。
【００２２】
骨組み３は、金属の床を有する。好ましくは、骨組み３は、水タンク、バッテリ、排水タンク等を収容するために、又は、より単純に床下収納を構成するために二重底を有する床を備える。
【００２３】
骨組み３の頂部は、光を通すことができる透明又は半透明のパネルを有し、パネル１３を上昇するための上昇機構１２を含む。貯蔵位置にある外郭６の開口部９を閉鎖し、次いで、パネル１３が開側面５．１の桁４の外面と、外郭６の周辺端部１０とに抗して押圧される下降位置と、パネル１３が骨組み３の頂部の上と、展開位置にある外郭６の屋根７の上とにそれぞれ部分的に拡がり、次いで、パネル１３が傾けられると共に骨組み３の頂部から離間されて保持される上昇位置との間を移動するように、パネル１３は取り付けられる。パネル１３は、その２つの位置同士の間で枢動することのできる２つのサイドリンク１４によって骨組み３に接続される。この実施例において、上昇機構１２は、第１の端部と第２の端部とを有する接続棒１５を具備し、第１の端部は、パネルの頂端部に蝶着され、第２の端部は、骨組みの頂部に蝶着され、ストラップ又はケーブルなどの紐１６に接続され、紐１６は、骨組み３の頂部に含まれるウィンチに固定される。上昇機構は、スイッチ又は遠隔制御を付設される電気モータによって起動してもよいし、あるいは、クランクハンドルによって純粋に機械的に起動してもよい。この実施例において、骨組み３の頂部は、複合材料で作られ、骨組み３の頂部の桁に取り付けられる。
【００２４】
パネル１３は、金属、木、プラスチック材料、又は多孔質（その上、表皮に覆われる）若しくは非多孔質であってもよい複合材料で作られる。
【００２５】
密封要素（図中非表示）は、外郭６の前記周辺端部１０と、第一に、外郭６が退避貯蔵位置にあるときには、パネル１３との間に、そして、第二に、外郭６が展開位置にあるときには、開側面５．１の桁４との間に、密封作用が提供されることができるように、外郭６の周辺端部１０を備える。さらに、開側面５．１の桁４は、下降位置にあるパネル１３が周辺端部１０に抗して押圧されるとき、周辺端部１０とパネル１３との間に密閉作用を提供するための密閉手段を備える。
【００２６】
図１〜図５において示されるような住宅ユニットは、連結のためのモジュールの開側面５．２を用いて共にモジュールを固着することによって組み立てられる。モジュールが共に固着された時点で、輸送のための補強材として機能する桁４は、取り除かれる。固着手段は、この実施例においてナット及びボルトである。密閉要素が、２つのモジュール同士の間の密閉作用を提供するために、連結された開側面同士の間に設置される。
【００２７】
外郭６が退避貯蔵位置にあり、パネル１３が前記外郭に抗して下げられたときには（図１）、もたらされる住宅ユニットをトラックの平台で輸送することができる。さらに、この住宅ユニットは、キャラバンを形成するためにトレーラーに、又はキャンピングカーを形成するために平台のバンのタイプの乗り物若しくは車に、取り外しができるように又は取り外しのできないように固着される。
【００２８】
住宅ユニットが使用される場所に設置された時点で、パネル１３は、上昇位置にされ（図２）、外郭６は、展開位置にされる（図３及び図４）。設置された住宅ユニットは、図５に示される。
【００２９】
注目すべきは、上昇位置において、パネルは当然に、骨組みの中に光を通すことのできるように、さらには、ユニットを換気することができるように、骨組み３の頂部から離間され、雨と、場合により雪との流出を促進するために傾いている（積もった雪の重みのためにパネルが損傷しうる、雪がパネルの上に積もることから防ぐ）。
【００３０】
当然に、パネル１３が上昇させられることから避ける、例えば鍵で開ける錠前である施錠機構を設けることができる。
【００３１】
外郭６は、上昇できるベッド、変形できるソファー、家庭用電化製品、トイレ及び浴室の付属器具等の貯蔵家具を収容することができる十分な大きさである。
【００３２】
住宅ユニットの中央部は、輸送のために、例えば他の外郭の中にしまわれるテーブルやイスなどの可動家具によって占められてもよく、あるいは、前記中央部は、人のための通路として空けておくことができる。
【００３３】
さらに大きいサイズのユニットが図６を参照して示される。このユニットは、上記で説明されると共にこの実施例で“サイドモジュール”と呼ばれるモジュールのような、２つのモジュール２で構成されることができ、サイドモジュール２の結合される開側面５．２が固着されるところである２つの向かい合う開側面２２を有する、骨組み２１を有する中間モジュール２０を用いて、モジュールの結合される開側面５．２は、共に接続される。中間モジュール２０の他の側面は、遮断され又は開口が設けられるパネルから形成されてもよい。
【００３４】
図７は、上記で説明されたモジュールであって、図５にあるように一緒に並んで組み立てられると共に中間モジュール２０の頂部の上に取り付けられるモジュールのような、２つのモジュール２で構成される居住できる上の階を設けられた、図６で示されるような住宅ユニットを示す。屋内の階段は、中間モジュール２０を上の階の１つのモジュール２に接続するために設けられる。上の階のモジュール２は、１階のモジュールに直角に設置されるので、１階のモジュールのパネル１３は、上の階のモジュール２の外郭６の枢動作用を妨げない。
【００３５】
図８は、中間モジュール２０よりも広い中間モジュール３０の側面のそれぞれにサイドモジュール２が設けられることを除き、図７に示されるような住宅ユニットを示す。
【００３６】
図９及び図１０は、車輪の付いた平台４０で構成されるキャラバンを示し、平台４０には、５つのモジュール２によって形成される住宅ユニットが取り付けられる。
【００３７】
車輪の付いた平台から住宅ユニットを降ろすことを可能にするために、住宅ユニットの下にローラー又は車輪を設けることができる。この目的のために、車輪の付いた平台は、アクセスランプ（ａｃｃｅｓｓ  ｒａｍｐ）４１を備える。
【００３８】
当然に、この発明は、説明される実施形態に制限されず、変形実施形態は、特許請求の範囲によって定義されるこの発明の範囲を超えることなくこの発明に応用されてもよい。
【００３９】
太陽光エネルギーを収集するための太陽光発電集光器又は他の手段は、太陽光放射の影響を受けやすくするためにパネル１３に固着されてもよい。太陽光発電集光器は、例えば骨組みの床下に設置されるバッテリに接続される。
【００４０】
この発明の住宅ユニットの構成要素の全体の形状は、示された形状と違っていてもよい。したがって、中間モジュールは、六角形、八角形、又はいくつかの他の形状でもよい。
【００４１】
補強桁は、モジュールが一緒に組み立てられるとき、全てそのままでもよい。
【００４２】
堅いパネルは、平面形状、又は浮き彫りの形状、具体的には、例えば縦軸回りに彫られる形状を有してもよい。
【００４３】
注目すべきは、骨組みは、トレーラー又は平台に、固定され又は一体の構成要素を通過させ又は収容するためのセットバックを含むことができ、トレーラー又は平台の上には、例えばホイールアーチを形成する骨組みが取り付けられる。
【００４４】
モジュールの他の配置が可能であり、少なくとも１つのサイドモジュールが少なくとも１つの上の階を形成するために中間モジュールの頂部に固着されてもよく、中間モジュールが重ねられてもよい。
【図１】
2011513608.tif 000003
【図２】
2011513608.tif 000004
【図３】
2011513608.tif 000005
【図４】
2011513608.tif 000006
【図５】
2011513608.tif 000007
【図６】
2011513608.tif 000008
【図７】
2011513608.tif 000009
【図８】
2011513608.tif 000010
【図９】
2011513608.tif 000011
【図１０】
2011513608.tif 000012
【図１１】
2011513608.tif 000013
【図１２】
2011513608.tif 000014
【国際調査報告】
2011513608.tif 000015
2011513608.tif 000016
2011513608.tif 000017
2011513608.tif 000018